(57)【要約】      （修正有）【課題】浴室ユニット内の利用区空間を狭めることなく、納まりが良く、さらに再生作業が容易な浴室ユニット内に設置された軟水化装置を提供する。【解決手段】本発明は、洗い場床１１０と壁１２０と天井とカウンター１４０と水栓器具１５０を備えた浴室ユニット１内に設置された軟水化装置２において、軟水化装置２が、洗い場床１１０より上方の前記壁１２０の壁面１２１に配置されていることを特徴とする浴室ユニット用軟水化装置の設置構造。【選択図】図１
2020014733.tif 000002
【特許請求の範囲】
【請求項１】
洗い場床と壁と天井とカウンターと水栓器具を備えた浴室ユニット内に設置された軟水化装置において、
前記軟水化装置が、前記洗い場床より上方の前記壁の壁面に配置されていることを特徴とする浴室ユニット用軟水化装置の設置構造。
【請求項２】
請求項１に記載の浴室ユニット用軟水化装置おいて、前記軟水化装置の上方に位置するようにカウンターが前記壁面に設置され、かつ、前記カウンターの天板の全て又は/及び一部が支持材より着脱可能とされたことを特徴とする浴室ユニット用軟水化装置の設置構造。
【請求項３】
請求項１または請求項２記載の浴室ユニット用軟水化装置おいて、再生水投入口が前記軟水化装置の上面に設けられ、再生水排出口が前記軟水化装置の側面下方に設けられていることを特徴とする浴室ユニット用軟水化装置の設置構造。
【請求項４】
請求項１乃至請求項３のいずれか一項に記載の浴室ユニット用軟水化装置おいて、前記水栓器具のシャワー吐水口と前記軟水化装置の入水部を通水可能とする入水管と、前記軟水化装置の吐水部とシャワーセットのシャワーホース接続部を通水可能等とする吐水管と、が前記壁の浴室ユニット外に配管されていることを特徴とする浴室ユニット用軟水化装置の設置構造。
【請求項５】
請求項１乃至請求項４のいずれか一項に記載の浴室ユニット用軟水化装置おいて、前記軟水化装置の本体と入水管の流路間に、減圧装置が設けられたことを特徴とする浴室ユニット用軟水化装置の設置構造。
【発明の詳細な説明】
【技術分野】
【０００１】
本発明は、浴室ユニット用軟水化装置の設置構造に関する。
【背景技術】
【０００２】
従来、浴室で使用する軟水化装置を浴室内に配置する方法として、軟水化装置を浴室ユニットの構成部材の内部に組み込んで使用する方法と、軟水化装置を浴室の洗い場床に置いて使用する方法がそれぞれ開示されている。
【０００３】
特許文献１では、浴室ユニットの構成部材であるカウンター部材の中に軟水化装置を組み込むことで、軟水化装置および配管等を露出させない構成が開示されている。
【０００４】
特許文献２では、軟水化装置を浴室ユニットの洗い場床に配置し、水栓とシャワーとの間に配置する構成が開示されている。
【先行技術文献】
【特許文献】
【０００５】
【特許文献１】特開２００２−２８２１６１号公報
【特許文献２】特開２０１７−０１８８９１号公報
【発明の概要】
【発明が解決しようとする課題】
【０００６】
特許文献１に記載の構成では、軟水化装置を収容するためにカウンター部材の張出量が大きくなり、浴槽の設置スペースを縮小させたり、洗面器置台の利用スペースを狭めるなど、軟水化装置を設置することで浴室ユニット内の利用空間を狭めてしまう問題点があった。
また、カウンター部材の設置スペース内にイオン交換樹脂を再生するための塩水タンク及び塩水ライン等の付帯設備を設けており、軟水化装置の大型化とコストアップをまねく等の問題点があった。
【０００７】
特許文献２に記載の構成では、軟水化装置が浴室ユニットの洗い場床に配置されて、配管が露出しているために、洗い場の利用時や浴室の清掃時に軟水化装置や配管が邪魔になり、さらに、軟水化装置の転倒や損傷を引き起こすおそれがあるなどの問題点があった。
また、洗い場床の利用スペースの縮小と、配管の露出による外観の悪化と清掃性の悪化を招くなどの問題点があった。
【０００８】
本発明は、上記従来の問題点を鑑みなされたものであって、浴室ユニット内の利用空間を狭めることなく、納まりが良く、さらに清掃性や再生作業が容易な特徴を有する、浴室ユニット内に設置された軟水化装置を提供することにある。
【課題を解決するための手段】
【０００９】
本発明は、前記課題を解決する手段として、以下の構成を有する。
（１）本発明の浴室ユニット用軟水化装置の設置構造は、洗い場床と壁と天井とカウンターと水栓器具を備えた浴室ユニット内に設置された軟水化装置において、前記軟水化装置が、前記洗い場床より上方の前記壁の壁面に配置されていることを特徴とする。
（２）本発明の浴室ユニット用軟水化装置の設置構造は、（１）項において、前記軟水化装置の上方に位置するようにカウンターが前記壁面に設置され、かつ、前記カウンターの天板の全て又は/及び一部が支持材より着脱可能とされたことを特徴とする。
【００１０】
（３）本発明の浴室ユニット用軟水化装置の設置構造は、（１）または（２）項において、再生水投入口が前記軟水化装置の上面に設けられ、再生水排出口が前記軟水化装置の側面下方に設けられていることを特徴とする。  
（４）本発明の浴室ユニット用軟水化装置の設置構造は、（１）乃至（３）項のうちいずれかにおいて、前記水栓器具のシャワー吐水口と前記軟水化装置の入水部を通水可能とする入水管と、前記軟水化装置の吐水部とシャワーセットのシャワーホース接続部を通水可能等とする吐水管と、が前記壁の浴室ユニット外に配管されていることを特徴とする。
【００１１】
（５）本発明の浴室ユニット用軟水化装置の設置構造は、（１）乃至（４）項のうちいずれかにおいて、前記軟水化装置の本体と入水管の流路間に、減圧装置が設けられたことを特徴とする。
【発明の効果】
【００１２】
本発明によれば、軟水化装置が洗い場床面の上方の壁面に設置されていることで、洗い場床面の清掃性を保持し、利用者と軟水化装置との接触や、軟水化装置の転倒及び損傷の防止を図ることができる。
【００１３】
本発明において、浴室壁面に設置したカウンター下方のデットスペースに軟水化装置を設置することで、カウンター下方の空間を有効活用することができ、浴室ユニット内の利用空間の縮小を最小限に留めることができる。
カウンターの天板を着脱できる構成とすることで、軟水化装置のメンテナンス性及び清掃性の向上を図ることができる。また、カウンターの天板を外すことで軟水化装置周囲の壁面を覆い隠す部材を無くすることができるので、カウンター下方壁面の清掃性の向上も図ることができる。
【００１４】
本発明において、再生水投入口が軟水化装置の上面に設けられ、再生水排出口が軟水化装置の側面下方に設けられていることで、上方の再生水投入口から再生水を投入し、イオン交換樹脂を通過させた再生水を下方の再生水排出口から排出するという簡単な操作によりイオン交換樹脂の再生作業の容易化を図ることができる。
また、上方の再生水投入口から再生水を投入するという操作のみで再生ができるので、再生するための付帯設備が不要となることで、軟水化装置のコンパクト化とコストダウンを図ることができる。
【００１５】
本発明において、水栓器具のシャワー吐水口と軟水化装置の入水部を通水可能とする入水管と、軟水化装置の吐水部とシャワーセットのシャワーホース接続部を通水可能等とする吐水管とを前記壁の裏面側の浴室ユニット外に配管することで、通水する配管の浴室ユニット内への露出防止を図ることができ、軟水化装置を備えた浴室ユニットとして優れた外観品質を確保できる。
【００１６】
本発明において、軟水化装置の本体と入水管の流路間に、減圧装置を設けたことで、軟水化装置の本体に加わる水圧を一定以下とすることができ、シャワーヘッドにて吐水・止水を行える水栓装置への適用拡大を図ることができる。
【図面の簡単な説明】
【００１７】
【図１】本発明の第１の形態における、浴室ユニット全体を示す斜視図。
【図２】前記浴室ユニット全体の裏面側を示す斜視図。
【図３】本発明の第１の形態における、軟水化装置の外観図。
【図４】前記軟水化装置の分解図。
【図５】給水管と給湯管を省略した状態の軟水化装置を示す側面図。
【図６】本発明の第１の形態における、軟水化装置の再生作業を示す斜視図。
【発明を実施するための形態】
【００１８】
以下、本発明の実施形態を挙げて本発明の詳細を説明する。
「第１の実施形態」
図１は、本発明の第１の実施形態を示す。図中符号１は浴室ユニットを示し、この浴室ユニット１の構造は、洗い場床１１０とこの洗い場床１１０の外周縁部上に載置される、壁１２０と、壁１２０上方に設置される天井（図示略）と、浴槽５と、エプロン５１０と、軟水化装置２と、カウンター１４０と、水栓器具１５０と、シャワーホース１５４と、シャワーヘッド１５５を主体として構成されている。
【００１９】
洗い場床１１０は平面視矩形状に形成され、洗い場床１１０の一方の長辺側中央に排水口１１１が形成されている。排水口１１１を設けた側の洗い場床１１０上にエプロン５１０が立設され、エプロン５１０に続くように浴槽５が設置されている。
洗い場床１１０の一方の短辺側に壁１２０が立設され、この壁１２０に隣接する浴槽５の短辺側に壁１２２が立設され、壁１２０と壁１２２がほぼ面一になるように左右に隣接配置されている。
【００２０】
軟水化装置２は、洗い場床１１０の短辺側上方の壁１２０の壁面１２１に沿って配置され、軟水化装置２の上方には、カウンター１４０と、水栓器具１５０と、が壁１２０の壁面１２１に沿って、配置されている。
カウンター１４０は、天板（洗面器置台）１４１と、支持材１４２から構成されており、天板（洗面器置台）１４１の全て又は／及び一部が支持材１４２より着脱可能とされている。水栓器具１５０は、裏面側にシャワー吐水口１５１（図２参照）を有しており、壁１２０の裏面側に配置された給水配管１６０と、給湯配管１７０に対し、壁１２０の裏面側において接続されている。
水栓器具１５０の裏面側には、給水接続部１５０ａと上流入水接続部２３１と給湯接続部１５０ｃが左右に隣接形成され、水栓器具１５０を設置した位置の壁１２０に形成された透孔１２０ａを介し壁１２０の裏面側に、図２に示すように給水接続部１５０ａと上流入水接続部２３１と給湯接続部１５０ｃが配置されている。また、上流入水接続部２３１に水栓器具１５０のシャワー吐水口１５１が形成されている。
壁１２０の裏面側において、給水配管１６０が給水接続部１５０ａに接続され、給湯配管１７０が給湯接続部１５０ｃに接続され、入水管２３０が上流入水接続部２３１に接続されている。
【００２１】
軟水化装置２は、図４、図５に示すように、内部にイオン交換樹脂２２０が充填された容器状の本体２１０を有し、本体２１０の側面下方には、水栓器具１５０のシャワー吐水口１５１からの入水管２３０が接続されている。また、本体２１０の内部へ水を供給するための、導水管２３３が設けられ、この導水管２３３に入水管２３０が接続されている。
本体２１０の上方には本体２１０内部から吐水管２４０を通し、シャワーホース接続部１５３へ水を流出させるための送水管２４３が設けられている。
【００２２】
軟水化装置２は、図３、図４等に示すように本体２１０の背面を除く５面をケースカバー２８０で覆われており、ケースカバー２８０は前面を覆う前カバー２８１と、上方を覆う上カバー２８２と、下方を覆う底カバー２８３と、から構成される。本体２１０の背面側下部には板状の受け具２７０が取り付けられており、本体２１０と、受け具２７０と、底カバー２８３と、上カバー２８２はネジ部材等の固定具により、壁面１２１に固定されている。
【００２３】
従来品（特許文献２）のケースカバーは、ベースと、左側面カバーと、右側面カバーと、内カバーと上カバー計５個の部品から構成されているが、本発明の軟水化装置２のケースカバー２８０は、前カバー２８１と、上カバー２８２と、底カバー２８３計３個の部品で構成されており、部品点数を削減することで金型費や管理費を低減することができる。
上カバー２８２は本体２１０の上面側と両側面の上部側を覆い、下カバー２８３は本体２１０の下面側と両側面の下部側を覆うので、これらに前カバー２８１を組み合わせることで本体２１０の６面のうち、５面を覆うことができ、３個の部品で軟水化装置２のケースカバー２８０を構成できる。
尚、上カバー２８２と、底カバー２８３はいずれもコ字形状に成形されているので、左右反転させて使用することで、軟水化装置２を左右勝手違いに配置しても共用して利用することができる。
【００２４】
本体２１０の背面下部側であって下カバー２８３の背面内下部側には、板材からなる受け具２７０が取り付けられ、この受け具２７０には左右に離間してダボ受け具取付孔２７５が形成されている。また、上カバー２８２の背面側コーナー部分に張出部が形成され、ここにダボ受け具取付孔２７６が形成されている。
壁面１２１に設置されたダボ（図示せず）に前記上カバー２８２のダボ受け取付孔２７６を位置合わせし、受け具２７０のダボ受け具取付孔２７５を位置合わせしてそれぞれ挿着し、軟水化装置２を壁面１２１に沿って配置することができ、軟水化装置２の取付作業を容易に行うことができるようになっている。
【００２５】
軟水化装置２は洗い場床１１０の上面に設置されていないため、軟水化装置２に周囲の水垢や、石鹸カスなどの汚れの付着を抑制することができ、軟水化装置２の底面と、軟水化装置２の下方の洗い場床１１０の清掃等を容易に行うことができるようになっている。
【００２６】
また、軟水化装置２は本体２１０の上方を覆う、上カバー２８２の上面から、再生水（塩水：図６参照）４１０を投入するための再生水投入口２５０と、この再生水投入口２５０を覆う着脱自在な投入キャップ２５１（図５参照）とを備える。また、軟水化装置２は、本体２１０の側面下方を覆う底カバー２８３の側面から再生水（塩水）４１０を排出するための再生水排水口２６０と、再生水排水口２６０を覆う着脱自在な排出キャップ２６１と、を備える。尚、再生水は陽イオン交換樹脂のイオン交換能力を再生する。
【００２７】
図３に示す様に、投入キャップ２５１と排水キャップ２６１は、上カバー２８２、底カバー２８３を貫通して本体２１０に螺合されており、これらのカバーを外すことなく、投入キャップ２５１と排水キャップ２６１を外し、図６に示すように容器（ペットボトル）４２０を装着することで再生水４１０を本体２１０に投入することができる。
さらに、投入キャップ２５１の表面の凸部に起立したリブ２５１ａと、排水キャップ２６１の表面の凹み部に起立したリブ２６１ａをつまみとして利用することで、各キャップの着脱を容易とすることができる。
【００２８】
軟水化装置２を再生させるため、再生水（塩水）４１０を再生水投入口２５０から再生水排出口２６０へ、通過させることで再生作業が行われる。
軟水化装置２のイオン交換樹脂２２０を再生する手順として、軟水化装置２上部にあるカウンター１４０の天板（洗面器置台）１４１を支持材１４２から取外し、再生水投入口２５０に備えられている投入口キャップ２５１と、再生水排出口２６０に備えられている排出キャップ２６１を取り外し、本体２１０内の水を排出する。この後、図６に示すように、再生水（塩水）４１０の入った容器（ペットボトル）４２０の口部を再生水投入口２５０へ差し込み、再生水（塩水）４１０をイオン交換樹脂を通過させた後、再生水排出口２６０より排出させることで、イオン交換樹脂２２０のイオン交換能力を再生させることができる。
【００２９】
本実施形態において、再生水投入口２５０を軟水化装置２の上面に設け、再生水排出口２６０を軟水化装置２の側面下方に設けていることで、上方の再生水投入口２５０から再生水を投入し、イオン交換樹脂２２０を通過させた再生水を下方の再生水排出口２６０から排出するという簡単な操作によりイオン交換樹脂２２０の再生作業の容易化を図ることができる。
また、上方の再生水投入口２５０から再生水を投入するという操作のみで再生ができるので、再生するための付帯設備が不要となることで、軟水化装置２のコンパクト化とコストダウンを図ることができる。
【００３０】
また、イオン交換樹脂の再生処理を行う場合、図６に示す様に、上カバー２８２の再生水投入口２５０は再生水（塩水）４１０が入った容器（ペットボトル）４２０の口部先端を差し込んだ状態で保持できる形状とすることで、再生中の容器（ペットボトル）４２０を手で保持する必要が無くなり、再生作業を容易に行うことができる。
【００３１】
軟水化装置２の内部において、図５に示すように導水管２３３はＬ字状のパイプと、減圧装置３と、を備えており、水栓器具１５０で混合された湯水をシャワー吐水口１５１から、上流入水接続部２３１を介し、浴室ユニット１の外（壁１２０の裏面側）にある入水管２３０を通し、下流入水接続部２３２と、導水管２３３と、を接続することで、軟水化装置２の本体２１０へ入水することができる。減圧装置３より下流側の導水管２３３は本体２１０の側面側底部にＬ字状のパイプを介し接続されている。
シャワー吐水口１５１と、上流入水接続部２３１と、下流入水接続部２３２と、導水管２３３と、減圧装置３と、本体２１０は、それぞれパッキン等を介して、漏水がないように接続されている。
【００３２】
減圧装置３は、シャワーヘッド１５５にて吐水・止水を行うタイプのシャワーヘッドを使用する場合、水道圧による本体２１０の破損を防止するために配置されており、対応可能なシャワーヘッドを広く選択することができ、利便性を向上させることができる。
即ち、軟水化装置２の本体２１０と入水管２３０の流路間に、減圧装置３を設けたことで、軟水化装置２の本体２１０に加わる水圧を一定以下とすることができ、シャワーヘッド１５５にて吐水・止水を行える水栓装置への適用拡大を図ることができる。
【００３３】
図４と図５に示す様に、本体２１０の天井部に接続された送水管２４３はＬ字状のパイプからなり、下流吐水接続部２４２から、浴室ユニット１の外（壁１２０の裏面側）に設けられている吐水管２４０を通し、壁面１２１に設置されている上流吐水接続部２４１に接続されている。
水栓器具１５０のシャワー吐水口１５１から、シャワーホース１５４に流水し、シャワーヘッド１５５から吐水することができる。送水管２４３と、下流吐水接続部２４２と、吐水管２４０と、本体２１０と、上流吐水接続部２４１と、シャワーホース接続部１５３とは、パッキン等を介して、漏水がないように接続される。
【００３４】
水道水、又は井戸水を、水栓器具１５０のシャワー吐水口１５１から、入水管２３０を通し、下流入水接続部２３２と、導水管２３３と、を介することで、軟水化装置２の本体２１０へ入水することができる。軟水化装置２の本体２１０に設けられているイオン交換樹脂２２０にて軟水化した水を、送水管２４３が接続された、下流吐水接続部２４２から、浴室ユニット１の外にある吐水管２４０を通し、壁面１２１に設置されている、上流吐水接続部２４１と、シャワーホース接続部１５３を介し浴室ユニット１内に設けられているシャワーホース１５４を介し、シャワーホース１５４の先端に備えられた、シャワーヘッド１５５へ送り、シャワーヘッド１５５から軟水化した水を吐水することができる。
【００３５】
これらの配管経路において、給水配管１６０と給湯配管１７０に加え、入水管２３０と吐水管２４０を浴室ユニット１外（壁１２の裏面側）に配管していることで、浴室ユニット１内がすっきりとした外観となり、軟水化装置２を設置した浴室ユニット１として優れた外観品質を実現することができる。
本実施形態では、軟水化装置２が洗い場１１０の床面の上方の壁面１２１に床面と適切な間隔をあけて設置されていることで、洗い場床面の清掃性を保持し、利用者と軟水化装置２との接触や、軟水化装置２の転倒及び損傷の防止を図ることができる。
一例として、軟水化装置２は、洗い場１１０の床面から５〜６ｃｍ程度以上、上方に設置することが好ましい。軟水化装置２の下方に５ｃｍ程度の空間があると、軟水化装置２の奥行きを考慮したとして、装置下方の床面をスポンジ等の清掃用具を用いて清掃し易く、装置下方の壁面の清掃も可能となる。
【００３６】
本実施形態において、浴室１の壁面１２１に設置した天板１４１の下方のデットスペースに軟水化装置２を設置することで、カウンター１４０の下方空間を有効活用することができ、浴室ユニット１内の利用空間の縮小を最小限に留めることができる。
また、カウンター１４０の天板１４１を着脱できる構成とすることで、軟水化装置２のメンテナンス性及び清掃性の向上を図ることができる。カウンター１４０の天板１４１を外すことで軟水化装置周囲の壁面１２１を覆い隠す部材を無くすることができるので、カウンター下方壁面の清掃性の向上も図ることができる。
【００３７】
本実施形態において、水栓器具１５０のシャワー吐水口１５１と軟水化装置２の入水部を通水可能とする入水管２３０と、軟水化装置２の吐水部とシャワーセットのシャワーホース接続部１５３を通水可能等とする吐水管２４０とを前記壁１２０の裏面側の浴室ユニット外に配管することで、通水する配管の浴室ユニット内への露出防止を図ることができ、軟水化装置２を備えた浴室ユニットとして優れた外観品質を確保できる。
また、壁１２０の裏面側に配置するのは、給水配管１６０、給湯配管１７０、入水管２３０、吐水管２４０といった配管とそれらの接続部のみであるため、壁１２０の裏面側のスペースが狭い浴室であっても支障なく設置することができる。
【符号の説明】
【００３８】
１…浴室ユニット、１１０…洗い場床、１１１…排水口、１２０…壁、１２１…壁面、
１３０…天井、１４０…カウンター、１４１…天板（洗面器置台）、１４２…支持材、
１５０…水栓器具、１５１…シャワー吐水口、１５２…シャワーセット、
１５３…シャワーホース接続部、１５４…シャワーホース、１５５…シャワーヘッド、
１６０…給水配管、１７０…給湯配管、
２…軟水化装置、２１０…本体、２２０…イオン交換樹脂、
２３０…入水管、２３１…上流入水接続部、２３２…下流入水接続部、２３３…導水管、２４０…吐水管、２４１…上流吐水接続部、２４２…下流吐水接続部、２４３…送水管、
２５０…再生水投入口、２５１…投入キャップ、
２６０…再生水排出口、２６１…排出キャップ、
２７０…受け具、２８０…ケースカバー、
２８１…前カバー、２８２…上カバー、２８３…底カバー、
３…減圧装置、４１０…再生水（塩水）、
４２０…容器（ペットボトル）、
５…浴槽、５１０…エプロン。
【図１】
2020014733.tif 000003
【図２】
2020014733.tif 000004
【図３】
2020014733.tif 000005
【図４】
2020014733.tif 000006
【図５】
2020014733.tif 000007
【図６】
2020014733.tif 000008